(57)【要約】【課題】折り畳みジワの発生がなく、容易に組み立て製函が可能な、ストレート貼りの製函機で作製することのできる４コーナーウォータタイト貼りの紙トレイを提供すること。【解決手段】各横側面板（１２，１２，１３，１３）とそれに連設されるコーナーフラップ（１５，１５，１５，１５）を横方向の折り曲げ線（ａ）に沿って山折りし、ついで、各縦側面板（１３，１３）とそれに連設されるコーナーフラップ（１５，１５，１５，１５）を縦方向の折り曲げ線（ｂ）に沿って山折りした時、互いに重なり合う横側面板（１２，１２）の表面と、横側面板フラップ（１５１）の表面とは接着されている。【選択図】図３
2008037490.tif 000002
【特許請求の範囲】
【請求項１】
方形の底面板の一方の相対向する二辺に横方向の折り曲げ線を介して横側面板がそれぞれ連設され、
もう一方の相対向する二辺に縦方向の折り曲げ線を介して縦側面板と縦フラップがそれぞれこの順序で連設され、
各横側面板と各縦側面板の間には、隣接する側面板に互いに連設するコーナーフラップが設けられ、該コーナーフラップは、底面板の各隅部を起点にして外方に向けて45度の角度で各コーナーフラップを二分する斜め方向の折り曲げ線により横側面板に隣接する横側面板フラップと、縦側面板に隣接する縦側面板フラップとに二分され、
それぞれの横側面板の両端縁の外方寄りで縦方向の折り曲げ線近傍には外方に突出するフックが設けられ、
横側面板の両端縁で縦方向の折り曲げ線とフックの間には縦方向の折り曲げ線と平行な逃がし罫線が、縦方向の折り曲げ線に近接して設けられた、構造からなるブランクを、
各横側面板とそれに連設されるコーナーフラップを横方向の折り曲げ線に沿って山折りし、ついで、各縦側面板とそれに連設されるコーナーフラップを縦方向の折り曲げ線に沿って山折りした時、
互いに重なり合う横側面板の表面と横側面板フラップの表面とは接着されてなることを特徴とする、紙トレイ。
【請求項２】
前記互いに重なり合う横側面板の表面と横側面板フラップの表面とは接着糊を介して接着されていることを特徴とする、請求項１記載の紙トレイ。
【請求項３】
前記縦フラップには、中央部端縁に内方に向けて切り欠きが設けられていることを特徴とする、請求項１又は２記載の紙トレイ。
【発明の詳細な説明】
【技術分野】
【０００１】
本発明は、一枚のブランクシートから形成される紙トレイに関するものであり、特には、ストレート貼りの製函機で作製することのできる４コーナーウォータータイト貼りの紙トレイに関する。
【背景技術】
【０００２】
従来、ウォータータイト貼りの紙函は、木型を用いた専用の製函機で作製されており、一般的にはストレート貼りの製函機では製函されていない。そのため形態としてはテーパーを持った形態となることが不可欠となり、同時に折り畳みできないという不具合が生じていた。
【０００３】
ストレート貼りの製函機を使用してウォータータイト貼りの紙函を作製すると、上記２点の問題点は解決されるが、折り畳みながら貼るために不要なシワ（２０１）が発生したり、側壁（２０２）が倒れ込んで函の体をなさないという新たな問題点が発生する（図４
（ａ），（ｂ）参照）。
【発明の開示】
【発明が解決しようとする課題】
【０００４】
本発明は、ストレート貼りの製函機を使用してウォータータイト貼りの紙函を作製する際に発生する以上のような問題に鑑みてなされたもので、折り畳みジワの発生がなく、容易に組み立て製函が可能な、ストレート貼りの製函機で作製することのできる４コーナーウォータータイト貼りの紙トレイを提供することを課題とする。
【課題を解決するための手段】
【０００５】
本発明の請求項１の発明は、方形の底面板の一方の相対向する二辺に横方向の折り曲げ線を介して横側面板がそれぞれ連設され、もう一方の相対向する二辺に縦方向の折り曲げ線を介して縦側面板と縦フラップがそれぞれこの順序で連設され、各横側面板と各縦側面板の間には、隣接する各側面板に互いに連設するコーナーフラップが設けられ、該コーナーフラップは、底面板の各隅部を起点にして外方に向けて４５度の角度で各コーナーフラップを二分する斜め方向の折り曲げ線により横側面板に隣接する横側面板フラップと、縦側面板に隣接する縦側面板フラップとに二分され、それぞれの横側面板の両端縁の外方寄りで縦方向の折り曲げ線近傍には外方に突出するフックが設けられ、横側面板の両端縁で縦方向の折り曲げ線とフックの間には縦方向の折り曲げ線と平行な逃がし罫線が縦方向の折り曲げ線に近接して設けられた構造からなるブランクを、
各横側面板とそれに連設されるコーナーフラップを横方向の折り曲げ線に沿って山折りし、ついで、各縦側面板とそれに連設されるコーナーフラップを縦方向の折り曲げ線に沿って山折りし、互いに隣り合う横側面板の表面と横側面板フラップの表面とは接着されてなることを特徴とする、紙トレイである。
【０００６】
このように請求項１記載の発明によれば、方形の底面板の一方の相対向する二辺に横方向の折り曲げ線を介して横側面板がそれぞれ連設され、もう一方の相対向する二辺に縦方向の折り曲げ線を介して縦側面板と縦フラップがそれぞれこの順序で連設され、各横側面板と各縦側面板の間には、隣接する各側面板に互いに連設するコーナーフラップが設けられ、該コーナーフラップは、底面板の各隅部を起点にして外方に向けて４５度の角度で各コーナーフラップを二分する斜め方向の折り曲げ線により横側面板に隣接する横側面板フラップと、縦側面板に隣接する縦側面板フラップとに二分され、それぞれの横側面板の両端縁の外方寄りで縦方向の折り曲げ線近傍には外方に突出するフックが設けられ、横側面
板の両端縁で縦方向の折り曲げ線とフックの間には縦方向の折り曲げ線と平行な逃がし罫線が縦方向の折り曲げ線に近接して設けられた構造からなるブランクを、各横側面板とそれに連設されるコーナーフラップを横方向の折り曲げ線に沿って山折りし、ついで、各縦側面板とそれに連設されるコーナーフラップを縦方向の折り曲げ線に沿って山折りし、互いに隣り合う横側面板の表面と横側面板フラップの表面とは接着してなるので、逃がし罫線を入れることで、各横側面板とそれに連設されるコーナーフラップを横方向の折り曲げ線に沿って山折りし、ついで、各縦側面板とそれに連設されるコーナーフラップを縦方向の折り曲げ線に沿って山折りした場合に発生する不要なシワを逃がし解消することができる。
【０００７】
また、トレイに組み立てた後に縦フラップを内側に折り曲げてフックに引っ掛けることで、両側の横側面板が倒れてくることを防止することができる。
【０００８】
また、請求項２の発明は、請求項１の発明において、前記互いに重なり合う横側面板フラップの表面と横側面板の表面とは接着糊を介して接着されていることを特徴とする、紙トレイである。
【０００９】
このように請求項２の発明によれば、互いに重なり合う横側面板の表面と横側面フラップの表面とは接着糊を介して接着されているので、比較的簡単な作業で横側面板の表面と横側面板フラップの表面とを完全に接着させることができる。
【００１０】
また、請求項３の発明は、請求項１又は２の発明において、前記縦フラップには、中央部端縁に内方に向けて切り欠きが設けられていることを特徴とする、紙トレイである。
【００１１】
このように請求項３の発明によれば、縦フラップには、中央部端縁に内方に向けて切り欠きが設けられているので、中身を入れて縦フラップを折るとき、また持ち帰った後に縦フラップを起こして内容物を取り出すときに、この部分に指等を入れやすい。
【発明の効果】
【００１２】
このように本発明によれば、折り畳みができて集積効率の高いウォータータイト貼りの紙トレイを作製することができる。また、通常のストレート貼りの製函機で作製することができるので、これまでの専用の製函機よりもさらにハイサイクルな製函を実施することができる。
【発明を実施するための最良の形態】
【００１３】
本発明を一実施形態に基づいて以下に詳細に説明する。
本発明の紙トレイは、例えば.、図１に示すようなブランクシート（１０）を通常のストレート貼りの製函機で組み立ててなる。先ず、ブランクシート（１０）を説明する。
【００１４】
方形の底面板（１１）の一方の相対向する二辺に横方向の折り曲げ線（ａ,ａ）を介して横側面板（１２，１２）がそれぞれ連設されている。
【００１５】
方形の底面板（１１）のもう一方の相対向する二辺には、縦方向の折り曲げ線（ｂ，ｂ）を介して縦側面板（１３，１３）と縦フラップ（１４，１４）がそれぞれこの順序で連設されている。
【００１６】
各横側面板（１２、１２）と各縦側面板（１３，１３）の間には、隣接する各側面板に互いに連設するコーナーフラップ（１５，１５，１５，１５）が設けられている。
【００１７】
この各ーナーフラップは、底面板（１１）の各隅部を起点にして外方に４５度の角度で
各コーナーフラップを二分する斜め方向の折り曲げ線（ｃ）により、横側面板に隣接する横側面板フラップ（１５１）と、縦側面板に隣接する縦側面板フラップ（１５２）とに区画されている。
【００１８】
それぞれの横側面板（１２，１２）の両端縁の外方寄りで縦方向の折り曲げ線（ｂ，ｂ）近傍には、外方に突出するフック（１２１，１２１）が設けられている。
【００１９】
また、横側面板（１２，１２）の両端縁で縦方向の折り曲げ線（ｂ，ｂ）とフック（１２１，１２１）の間には、縦方向の折り曲げ線と平行な逃がし罫線（ｄ，ｄ）が縦方向の折り曲げ線に近接して設けられている。
【００２０】
このような構造からなるブランクシート（１０）を紙トレイ（１）に組み立てる手順の一例をつぎに説明する。
【００２１】
各横側面板（１２，１２）とそれに連設されるコーナーフラップ（１５，１５）を横方向の折り曲げ線（ａ，ａ）に沿って山折りする。
【００２２】
ついで、各縦側面板（１３，１３）、とそれに連設されるコーナーフラップ（１５．１５）を縦方向の折り曲げ線（ｂ，ｂ）に沿って山折りする。
【００２３】
この時、コーナーフラップの横側面板フラップ（１５１，１５１，１５１，１５１）の表面には接着糊（図示せず）を付着させておく。このことにより、互いに重なり合う横側面板（１２）の表面と横側面板フラップ（１５１）の表面とが接着して紙トレイ（１）が組み上がる。すなわち、折り畳まれた状態の紙トレイ（１）が完成する（図２参照）。
【００２４】
横側面板の両端縁の縦方向の折り曲げ線（ｂ，ｂ）とフック（１２１）の間に逃がし罫線（ｄ，ｄ）が設けられたことにより、横側面板（１２）と横側面板の両端に連設されたコーナーフラップ（１５）を横方向の折り曲げ線（ａ）に沿って山折りし、ついで、縦側面板（１３）と縦側面板の両端に連設されたコーナーフラップ（１５）を縦方向の折り曲げ線（ｂ）に沿って山折りしても、出来上がった紙トレイ（１）の横側面板の縦方向の折り曲げ線近傍に折りシワが発生することはない。
【００２５】
折り畳まれた状態の紙トレイ（１）の両方の縦側面板（１３，１３）を起こすと、横側面板フラップ（１５１，１５１）は横側面板（１２，１２）に接着しているため、コーナーフラップ（１５，１５）のうちの縦側面板フラップ（１５２，１５２）のみが斜め方向の折り曲げ線（ｃ，ｃ）に沿って折り曲げられ、縦側面板（１３，１３）に引っ張られるように立ち上がる。
【００２６】
ついで、横側面板（１２，１２）を起こして、縦側面板（１３，１３）の先端縁に連設された縦フラップ（１４，１４）を縦方向の折り曲げ線に沿って内側に折り曲げると、フック（１２１，１２１）に引っかり横側面板（１２，１２）が内側に倒れ込むことを防止してくれる。このようにして折り畳んだ紙トレイを組み立てることができる（図３参照）。
【図面の簡単な説明】
【００２７】
【図１】本発明の紙トレイのブランクシートの一実施例を示す、平面説明図である。
【図２】図１のブランクシートを紙トレイに折り畳んだ状態を示す、平面説明図である。
【図３】図２の紙トレイを組み立てた状態を示す、斜視説明図である。
【図４】従来の紙トレイの一例を示す、（ａ）は折り畳んだ状態の斜視説明図であり、（ｂ）は組み立てた状態の斜視説明図である。
【符号の説明】
【００２８】
１‥‥紙トレイ
１０‥‥ブランクシート
１１‥‥底面板
１２‥‥横側面板
１３‥‥縦側面板
１４‥‥縦フラップ
１５‥‥コーナーフラップ
１２１‥‥フック
１４１‥‥切り欠き
１５１‥‥横側面板フラップ
１５２‥‥縦側面板フラップ
２００‥‥紙トレイ
２０１‥‥シワ
２０２‥‥側壁
ａ‥‥横方向の折り曲げ線
ｂ‥‥縦方向の折り曲げ線
ｃ‥‥斜め方向の折り曲げ線
ｄ‥‥逃がし罫線
【図１】
2008037490.tif 000003
【図２】
2008037490.tif 000004
【図３】
2008037490.tif 000005
【図４】
2008037490.tif 000006